(57)【特許請求の範囲】
【請求項１】
ハウジング、該ハウジングに設けられたガイド棒、該ガイド棒に案内されて移動されるレンズ、前記ハウジングに取り付けられた結像部を有するレンズ光学ユニットと、
該レンズ光学ユニットが取り付けられるカメラ本体と、
該カメラ本体に設けられるとともに前記レンズに係合され、駆動されることにより前記レンズを前記ガイド棒に案内させて移動させズーミングを行うカム部材とを有し、
該カム部材に前記レンズを係合した状態で前記ハウジングをカメラ本体に対し移動させることにより前記レンズ光学ユニットのピントが調整されるとともに、ピント調整後のレンズ光学ユニットが前記カメラ本体に固定部材により固定され、
前記レンズ光学ユニットの前記ガイド棒は、前記ハウジングに貫通されてその一端部及び他端部が前記カメラ本体に支持され、前記ハウジングが前記ガイド棒に案内されて移動されることを特徴とするカメラのピント調整装置。
【請求項２】
前記レンズ光学ユニットは、ファインダ光学ユニット、又は撮影レンズ光学ユニットであることを特徴とする請求項１記載のカメラのピント調整装置。
【発明の詳細な説明】
【０００１】
【発明の属する技術分野】
本発明は、カメラのファインダ光学ユニット又は撮影レンズ光学ユニットを組み立てる際に、該光学ユニットのピント調整を容易に行うことができるカメラのピント調整装置に関する。
【０００２】
【従来の技術】
特開平９−１９７４９１号公報には、ハウジングに取り付けられたガイド棒にレンズを移動自在に支持させるとともに、レンズの側方に配置された円筒カムを回転させることにより、この円筒カムのカム面に係合されたレンズ枠を、カム面に沿って前後移動させて焦点距離を変更するファインダ光学系が開示されている。
【０００３】
前記ファインダ光学系のピント調整構造は、前記円筒カムをハウジングに対して前後移動させるカム移動構造が適用されており、かかるピント調整構造によれば、円筒カムを前後移動させてレンズ全体を前後移動させることにより、レンズの光軸方向の位置を調整してピント調整を実施している。
【０００４】
【発明が解決しようとする課題】
しかしながら、前記従来のピント調整構造は、円筒カムを所定の方向に付勢する付勢部材、この付勢部材の付勢力に抗して円筒カムを前後移動させる移動部材等、多数の部品が必要になるので、組立に手間がかかるという欠点があった。
【０００５】
本発明はこのような事情に鑑みてなされたもので、部品点数を増やすことなく容易に組み立てることができるカメラのピント調整装置を提供することを目的とする。
【０００６】
【課題を解決するための手段】
本発明は、前記目的を達成するために、ハウジング、該ハウジングに設けられたガイド棒、該ガイド棒に案内されて移動されるレンズ、前記ハウジングに取り付けられた結像部を有するレンズ光学ユニットと、該レンズ光学ユニットが取り付けられるカメラ本体と、該カメラ本体に設けられるとともに前記レンズに係合され、駆動されることにより前記レンズを前記ガイド棒に案内させて移動させズーミングを行うカム部材とを有し、該カム部材に前記レンズを係合した状態で前記ハウジングをカメラ本体に対し移動させることにより前記レンズ光学ユニットのピントが調整されるとともに、ピント調整後のレンズ光学ユニットが前記カメラ本体に固定部材により固定され、前記レンズ光学ユニットの前記ガイド棒は、前記ハウジングに貫通されてその一端部及び他端部が前記カメラ本体に支持され、前記ハウジングが前記ガイド棒に案内されて移動されることを特徴とする。
【０００７】
本発明によれば、レンズ光学ユニットをカメラ本体に取り付けて、レンズ光学ユニットのレンズをカメラ本体側のカム部材に係合させる。この状態で、レンズ光学ユニットのハウジングを移動させると、レンズが固定された状態でレンズ光学ユニットの結像部がレンズに対して位置調整される。よって、ハウジングを移動させるだけでピント調整を行うことができる。そして、ピント調整後、ハウジングをカメラ本体に固定する。したがって、本発明のピント調整装置は、部品点数を増やすことなく容易に組み立てることができる。
【０００８】
また、本発明のピント調整装置を、ファインダ光学ユニット、又撮影レンズ光学ユニットに適用すると、ファインダ光学ユニット、撮影レンズ光学ユニットのピント調整装置の組み立てが容易になる。
【０００９】
更に、本発明によれば、レンズ光学ユニットのガイド部材であるガイド棒をハウジングに貫通させて、ガイド棒の一端部及び他端部をカメラ本体に支持させ、このガイド棒にハウジングを移動自在に支持させた。したがって、ハウジングは、レンズのガイド部材であるガイド棒に案内されて移動するので、レンズの光軸方向に精度よく移動する。また、前記レンズのほか対物レンズ、接眼レンズ等複数のレンズがハウジングに取り付けられている場合には、各々のレンズの光軸が一致した状態でハウジングが移動するので、光学的な精度が向上する。
【００１０】
【発明の実施の形態】
以下添付図面に従って本発明に係るカメラのピント調整装置の好ましい実施の形態を詳述する。
【００１１】
図１は、本実施の形態のカメラのピント調整装置が適用されたカメラ１０の組立斜視図である。図１のカメラ１０は、銀塩フイルムを使用するカメラ１０であるが、本実施の形態のピント調整装置が適用されるカメラは、銀塩フイルム用カメラ１０に限定されるものではなく、固体撮像素子で被写体を撮像するデジタルカメラにも適用することができる。
【００１２】
カメラ１０のカメラ本体１２は、横長の箱体に形成され、その前面略中央部には、不図示のズームレンズ鏡胴を保持する固定筒１４が設けられる。この固定筒１４は、カメラ本体１２と一体形成してもよく、また、別体に形成し、組立時にカメラ本体１２に組み込むようにしてもよい。固定筒１４の図１上左側部には、フイルムカートリッジの収納室１６が形成され、固定筒１４の図１上右側部には、フイルム巻取室１７が形成される。
【００１３】
また、固定筒１４の上方には、ファインダ光学系等を保持した本実施の形態のレンズ光学ユニットに相当するファインダユニットのハウジング１８が取り付けられている。このハウジング１８の取付方法については後述する。ハウジング１８の前面略中央部に形成された開口部には、ファインダ光学系の対物レンズ２０が固定されており、対物レンズ２０の後方でハウジング１８の背面側に形成された開口部には、ファインダ光学系の接眼レンズ２２が固定されている。また、対物レンズ２０を挟んで両側部には、ＡＦ測距用窓２４、２６がハウジング１８に成形され、ＡＦ測距用窓２４には図２の如くＡＦ受光部のレンズ２５が取り付けられるとともに、ＡＦ測距用窓２６にはＡＦ投光部のレンズ２７が取り付けられる。このＡＦ投光部及びＡＦ受光部によって被写体までの距離を測定する測距部が構成され、この測距部において、三角測量の原理に基づき被写体までの距離が求められ、その結果は、オートフォーカス制御に利用される。
【００１４】
対物レンズ２０と接眼レンズ２２との間には、ファインダ光学系を構成する前群及び後群から成る２群の移動レンズ２８、３０、プリズム８０、視野枠切替ユニット８２、及び反射ミラー８４がファインダ光軸の前方から後方にかけて順に配置される。これらの光学系部材２８、３０、８０、８２、８４は、ハウジング１８と蓋３２との間に形成されるファインダ光学系収納部の所定の位置に収納配置される。
【００１５】
かかるファインダ光学系にあっては、対物レンズ２０から入射した光線は、移動レンズ２８、３０で集光されてプリズム８０に入射され、このプリズム８０で所定の方向に複数回反射されたのち、視野枠切替ユニット８２の視野枠上（結像部）で被写体像が結像される。この被写体像は、反射ミラー８４で反射されて正立像に変換され、接眼レンズ２２を介して観察される。なお、符号８５は、反射ミラー８４をハウジング１８に固定するための板ばね部材である。また、符号８６は、視野枠切替え用レバーであり、このレバー８６の表面に形成された斜行溝８７に、視野枠切替ユニット８２の駆動ピン８８が嵌入される。そして、レバー８６が不図示の切替えスイッチによって図上矢印方向に直線状にスライド移動されると、駆動ピン８８が斜行溝８７に沿って前後方向に移動され、これにより、視野枠切替ユニット８２が駆動されて視野枠がコンベンション（Ｃ）、ハイビジョン（Ｈ）、又はパノラマ（Ｐ）サイズに切り替えられる。
【００１６】
移動レンズ２８、３０は、レンズ保持枠３４、３６に各々保持される。これらのレンズ保持枠３４、３６は、ハウジング１８に取り付けられるとともにファインダ光軸と平行に配設されたガイド棒３８に前後移動自在に支持される。また、レンズ保持枠３４、３６の図２上左側部には、ガイドピン３５、３７が水平方向に突設され、このガイドピン３５、３７は、ハウジング１８に装着されるカム板９０に形成された直進溝９１に摺動自在に嵌合される。
【００１７】
また、前群の対物レンズ保持枠３４の図２上右側部には、カムピン４０が斜め下方に向けて突設され、また、後群の対物レンズ保持枠３６にも、カムピン４２が斜め下方に向けて突設されている。これらのカムピン４０、４２は、固定筒１４に回動自在に嵌装されるファインダカム（カム部材）４４の溝４６、４８に嵌合される。このファインダカム４４は、その表面にカム溝４６、４８が形成された略瓦形状のカム板本体部５０と、カム板本体部５０と一体に形成されたリング状ギア５２とから構成される。なお、レンズ保持枠３４、３６は、フック３４Ａ、３６Ａ間に掛けられた引張りばね９２の付勢力によって互いに近づく方向に付勢されており、この付勢力によってカムピン４０、４２がカム溝４６、４８にガタなく嵌合されている。
【００１８】
カム板本体部５０の溝４６、４８は図３に示すように、直線溝４６Ａ、４８Ａと非線形形状のカム溝４６Ｂ、４８Ｂとから形成される。直線溝４６Ａ、４８Ａは、撮影レンズを保護するインナーバリア（図４、図５参照）５４を開閉させる時に使用される溝であり、図３上で光軸方向と直交する方向に平行に形成されている。したがって、カムピン４０、４２が直線溝４６Ａ、４８Ａを通過する間において、カムピン４０、４２は光軸方向に前後移動しない。即ち、インナーバリア５４を開閉させる間において、前群及び後群の対物レンズ保持枠３４、３６は光軸方向に移動しない。
【００１９】
カム溝４６Ｂ、４８Ｂは、撮影倍率に対応した倍率の被写体像を接眼レンズ２２から観察できるように対物レンズ保持枠３４、３６を光軸方向に前後移動させるための溝である。したがって、カムピン４０、４２がカム溝４６Ｂ、４８Ｂを通過する間において、前群及び後群の対物レンズ保持枠３４、３６はカム溝４６Ｂ、４８Ｂに沿って前後移動する。これにより、撮影倍率に対応した倍率の被写体像が接眼レンズ２２から観察される。
【００２０】
一方、ファインダカム４４のギア５２は、図４、図５の如くカメラ本体１２に取り付けられた駆動ギア５６に噛合される。駆動ギア５６は、図示しないモータに減速機構を介して連結されている。したがって、前記モータを駆動させて駆動ギア５６を正転／反転させると、駆動ギア５６の回動力がファインダカム４４に伝達されるので、ファインダカム４４が固定筒１４の外周面に沿って時計回り方向／反時計回り方向に回動する。これにより、インナーバリア５４の開閉が行われるとともに、前群及び後群の対物レンズ保持枠３４、３６がカム溝４６Ｂ、４８Ｂに沿って光軸方向に前後移動され、ズーミングがなされる。
【００２１】
このように構成されたカメラ本体１２の前面には、図１の如く前カバー５８が装着される。この前カバー５８は、固定筒１４と対向する部分６２、及び対物レンズ２０とＡＦ測距用窓２４、２６に対向する部分６０が開口されている。固定筒１４に対向する開口部６２は、不使用時にインナーバリア５４によって閉じられる。なお、カバー５８の図１上右上隅部には、二点鎖線で示すポップアップ式のストロボケース６４を収容するための切欠部６６が形成されている。また、図１上で符号７０は、図４、図５上で二点鎖線で示すシャッターレリーズスイッチ７２を配置するための開口部である。
【００２２】
インナーバリア５４の駆動機構は、ファインダカム４４、駆動ギヤ５６、及び駆動ギヤ５６を駆動する図示しないモータ等から構成されている。即ち、インナーバリア５４の駆動機構は、ファインダ光学系の対物レンズ保持枠３４、３６の駆動機構と兼用されている。
【００２３】
インナーバリア５４は、円筒状の固定筒１４の前面を覆うように、且つ前カバー５８の開口部６２を閉じるように円板状に形成されている。このインナーバリア５４の周縁には突片５５が形成され、この突片５５の開口部５５Ａにピン９４が図１の如く装着される。ピン９４は、カメラ本体１２に突出形成された軸受部９６に嵌入される。したがって、インナーバリア５４は、ピン９４を回動中心として図４に示した閉位置から図５に示した開位置の範囲で往復回動される。
【００２４】
インナーバリア５４の突片５５には図１に示すように、ピン９８が突設されている。また、軸受部９６には、捩じりコイルばね１００が挿入されており、この捩じりコイルばね１００の一端１００Ａは図４、図５に示すように、突片５５に係止され、他端１００Ｂはカメラ本体１２の前面に突設されたピン１０２に付勢された状態で係止されている。このように捩じりコイルばね１００を取り付けると、捩じりコイルばね１００の付勢力は、突片５５を介してインナーバリア５４に伝達される。これにより、インナーバリア５４は、常に閉方向に付勢された状態でカメラ本体１２に保持される。
【００２５】
図４に示すインナーバリア５４の閉時において、ピン９８は、ファインダカム４４の折曲片４４Ａに当接されている。この状態で、ファインダカム４４を図４上反時計回り方向に回動させると、ピン９８が折曲片４４Ａに押されることにより、インナーバリア５４がピン９４を支点として時計回り方向に回動していき、そして、ピン９８が折曲片４４Ａを乗り上げた後、所定角度回動した時に、インナーバリア５４が図５の開位置に位置する。これにより、図１に示した前カバー５８の開口部６２が完全に開放され、カメラ１０が撮影可能状態になる。
【００２６】
次に、カメラ本体１２に対するファインダユニットのピント調整装置について説明する。このピント調整装置は、図６に示すように移動レンズ２８、３０を支持するガイド棒３８によって、ファインダユニットのハウジング１８を前後移動自在に支持させた構造が採られている。
【００２７】
ガイド棒３８は、その前端３８Ａがハウジング１８の前面に形成された貫通孔（図２参照）１８Ａに挿通されて、固定筒１４の前面に形成された凹形状の軸支持部１０４に係合されている。また、図６のガイド棒の後端部３８Ｂは、ハウジング１８の背面に形成された貫通孔１８Ｂに挿通されて、カメラ本体１２の背面に形成された凹形状の軸支持部１０６に係合されている。
【００２８】
一方、ハウジング１８には、図２に示す固定用ねじ１０８を挿入するための３個の通し孔１１０が所定の位置に形成されている。これらの通し孔１１０は、ねじ１０８の径よりも大きな径で形成されるとともに、ハウジング１８がカメラ本体１２に装着された時に、カメラ本体１２の上面に形成されたねじ孔１１２と対向する位置に形成されている。したがって、ハウジング１８は、ねじ１０８を通し孔１１０を介してねじ孔１１２に螺入することによりカメラ本体１２に固定される。また、ハウジング１８は、ねじ１０８を緩めると、ねじ１０８と通し孔１１０との隙間の分だけ、ガイド棒３８に沿って前後に移動され、これによって、カメラ本体１２に対するハウジング１８の取り付け位置が調整される。
【００２９】
次に、ファインダユニットによるピント調整方法について説明する。
【００３０】
まず、ファインダユニットのハウジング１８をカメラ本体１２に取り付けて、移動レンズ２８、３０のカムピン４０、４２を、ファインダカム４４の溝４６、４８にそれぞれ係合させる。この状態で、ハウジング１８をねじ１０８を用いてカメラ本体１２に緩く仮止めする。
【００３１】
次に、ハウジング１８をねじ１０８と通し孔１１０との隙間を利用してガイド棒３８に沿って前後に移動させる。これにより、移動レンズ２８、３０がファインダカム４４に固定された状態で、ハウジング１８が移動されるので、レンズ光学ユニットの結像部である視野枠切替ユニット８２の視野枠の位置が移動レンズ２８、３０に対して位置調整され、これによってピント調整がなされる。よって、本実施の形態のピント調整装置によれば、ハウジング１８を前後移動させるだけでピント調整を行うことができる。そして、ピント調整後、その位置でねじ１０８を締め込んでハウジング１８をカメラ本体１２に確実に固定する。
【００３２】
よって、本実施の形態のピント調整装置にあっては、部品点数は全く増えず、容易に組み立てることができる。また、ファインダカム４４を回動させることなくピント調整を行うことができるので、ファインダカム４４のような板カムにでも本実施の形態のピント調整装置を適用することができる。
【００３３】
更に、本実施の形態のピント調整装置では、移動レンズ２８、３０のガイド棒３８でハウジング１８を前後移動自在に支持したので、ハウジング１８を移動レンズ２８、３０の光軸方向に精度よく前後移動させることができる。また、移動レンズ２８、３０、対物レンズ２０、接眼レンズ２２、及びプリズム８０の光軸が一致した状態でハウジング１８が前後移動するので、光学的な精度が向上する。
【００３４】
なお、本実施の形態では、ガイド棒３８でハウジング１８を前後移動自在に支持させたが、これに限定されるものではなく、例えば、ハウジング１８に専用のガイド部材を形成するとともに、このガイド部材をファインダ光軸方向に移動自在に案内するガイド部材をカメラ本体に形成し、双方のガイド部材の作用によってハウジング１８を前後移動自在に支持させてもよい。
【００３５】
図７は、本発明のレンズ光学ユニットのピント調整装置が撮影レンズのズームレンズ装置１２０に適用された例を示す断面図である。
【００３６】
ズームレンズ装置１２０の鏡胴１２２には、図７上一点鎖線で示す撮影光軸と平行にガイド棒１２４が配置され、このガイド棒１２４に移動レンズ１２６、１２８のレンズ枠体１３０、１３０が前後移動自在に支持されている。また、レンズ枠体１３０、１３０には、カムピン１３４、１３６が突設されており、このカムピン１３４は、鏡胴１２２のスリット１２３を介してサイドカム軸（カム部材）１３８のカム面１４０に、そして、カムピン１３４もスリット１２３を介してサイドカム軸１３８のカム面１４２にそれぞれ係合されている。したがって、サイドカム軸１３８が回転駆動されると、移動レンズ１２６、１２８はカム面１４０、１４２に沿って前後移動され、これにより、ズーミングが行われる。そして、ズームレンズ装置１２０で撮影された被写体像は、鏡胴１２２の後端部１４４に固定された固体撮像素子１４６の受光面（結像部）１４８に結像される。
【００３７】
ガイド棒１２４は、図示の如く、レンズ鏡胴１２２に貫通配置され、前端１２４Ａがカメラ本体１５０に取り付けられ、そして、後端１２４Ｂは、鏡胴１２２の後端部１４４に形成された貫通孔１４５を介してカメラ本体１５０に取り付けられている。このガイド棒１２４に鏡胴１２２が前後移動自在に支持されており、したがって、ピント調整を行う際には、鏡胴１２２のみを前後移動させる。
【００３８】
これにより、移動レンズ１２６、１２８がサイドカム軸１３８に固定された状態で、鏡胴１２２が移動されるので、移動レンズ装置１２０の結像部である固体撮像素子１４６の結像面１４８の位置が移動レンズ１２６、１２８に対して位置調整され、ピント調整がなされる。
【００３９】
よって、図７のピント調整装置によれば、鏡胴１２２を前後移動させるだけでピント調整を行うことができる。そして、ピント調整後、鏡胴１２２の前端部及び後端部に形成されたフランジ１５２、１５２をビス１５４等によってカメラ本体１５０に固定して、鏡胴１２２をカメラ本体１２に確実に固定する。
【００４０】
【発明の効果】
以上説明したように本発明に係るカメラのピント調整装置によれば、レンズ光学ユニットをカメラ本体に取り付け、レンズ光学ユニットのレンズをカメラ本体側のカム部材に係合させた状態で、レンズ光学ユニットのハウジングを移動させるだけでピント調整を行うことができるので、容易に組み立てることができ、且つ、レンズのカム部材を移動させることなくピント調整を行うことができる。
【００４１】
また、本発明によれば、レンズ光学ユニットのガイド部材であるガイド棒の前端部及び後端部をカメラ本体に支持し、このガイド棒によってハウジングを移動自在に支持したので、ハウジングをレンズの光軸方向に精度よく移動させることができ、よって、光学的な精度を上げることができる。
【図面の簡単な説明】
【図１】本実施の形態のピント調整装置が適用されたカメラの組立斜視図
【図２】図１のカメラに適用されたファインダユニットの組立斜視図
【図３】図１のカメラに適用されたファインダカムの展開図
【図４】インナーバリアが閉状態のカメラの正面図
【図５】インナーバリアが開状態のカメラの正面図
【図６】ファインダユニットのピント調整装置の断面図
【図７】本実施の形態のピント調整装置が撮影レンズ光学系に適用された例を示す図
【符号の説明】
１０…カメラ、１２…カメラ本体、１４…固定筒、１８…ハウジング、２０…対物レンズ、２２…接眼レンズ、２８、３０、１２６、１２８…移動レンズ、３８、１２４…ガイド棒、８２…視野枠切替ユニット、１２０…ズームレンズ装置、１２２…鏡胴、１４８…固体撮像素子の結像面
【図１】
0003671758.tif 000002
【図２】
0003671758.tif 000003
【図３】
0003671758.tif 000004
【図４】
0003671758.tif 000005
【図５】
0003671758.tif 000006
【図６】
0003671758.tif 000007
【図７】
0003671758.tif 000008